【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
動画を撮影可能な電子撮像装置であって、
撮像手段と、
撮像して所定フレームの動画データが得られたときに、この所定フレームの動画データに対応する属性情報を作成する属性情報作成手段と、
撮影状態から非撮影状態に移る判断を行う判断手段と、
前記判断により撮影状態から非撮影状態に移る判断に応じて、前記作成された属性情報をメモリに記録する記録手段と、
を具備することを特徴とする電子撮像装置。
【請求項２】
前記所定フレームの動画データに対応する属性情報を、前記所定フレームの動画データの前記メモリへの記録に伴って作成することを特徴とする請求項１に記載の電子撮像装置。
【請求項３】
前記判断手段は、ユーザによる操作終了の指示の有無を判断するものであり、
操作終了の指示があったと判断した場合に、非撮影状態に移行することを特徴とする請求項１に記載の電子撮像装置。
【請求項４】
前記判断手段は、電源電圧のレベルを判断するものであり、
電源電圧が所定電圧以下になったと判断した場合に、非撮影状態に移行することを特徴とする請求項１に記載の電子撮像装置。
【請求項５】
前記記録手段は、電源電圧が所定電圧以下になった場合に、前記作成された属性情報を前記動画データとともに記録媒体に記録することを特徴とする請求項１に記載の電子撮像装置。
【請求項６】
動画を撮影可能な電子撮像装置であって、
撮像手段と、
撮像して所定フレームの動画データが得られたときに、この所定フレームの動画データに対応する属性情報を作成する属性情報作成手段と、
撮像された動画データを記録媒体に記録する記録手段と、
電源電圧が所定電圧以下となった場合に、前記動画データの記録媒体への記録を中止するとともに、前記作成された属性情報を記録媒体に記録するように制御する制御手段と、
を具備することを特徴とする電子撮像装置。
【請求項７】
撮影終了の指示があったときに、当該撮影により得られた動画データに対応する属性情報を前記属性情報作成手段により作成するとともに、前記記録手段によって作成された属性情報を前記撮影により得られた動画データとともに記録することを特徴とする請求項６に記載の電子撮像装置。
【請求項８】
電源電圧が所定電圧以下になった場合に、前記属性情報を記録媒体に記録するために必要な電源電圧を供給するバックアップ用電源を備えていることを特徴とする請求項６に記載の電子撮像装置。
【請求項９】
電源電圧が所定電圧以下になった場合に記録媒体に記録される属性情報は、その時点ですでに作成されている属性情報のうち最新に作成された属性情報であることを特徴とする請求項６に記載の電子撮像装置。
【請求項１０】
電源電圧が所定の電圧レベル以下になった場合に、記録媒体にデータを記録するのに用いられる動作クロックを低速モードに切り換えることを特徴とする請求項６に記載の電子撮像装置。
【請求項１１】
前記電源電圧が所定電圧以下となった場合に、前記バックアップ用電源による前記記録媒体への記録に必要な電源供給を除く他の電源供給を停止するように制御することを特徴とする請求項８記載の電子撮像装置。
【請求項１２】
前記バックアップ用電源は、電子撮像装置において他の用途に用いられる電源と共用されることを特徴とする請求項８に記載の電子撮像装置。
【請求項１３】
電子撮像装置の動画像データ記録方法であって、
撮像して所定フレームの動画データが得られたときに、この所定フレームの動画データに対応する属性情報を作成し、
撮影状態から非撮影状態に移るか否かの判断を行い、
前記判断により撮影状態から非撮影状態に移る判断がされた場合に、前記作成された属性情報をメモリに記録することを特徴とする電子撮像装置の動画像データ記録方法。
【手続補正２】
【補正対象書類名】明細書
【補正対象項目名】発明の名称
【補正方法】変更
【補正の内容】
【発明の名称】電子撮像装置及び電子撮像装置の動画像データ記録方法
【手続補正３】
【補正対象書類名】明細書
【補正対象項目名】０００１
【補正方法】変更
【補正の内容】
【０００１】
本発明は、電子撮像装置及び電子撮像装置の動画像データ記録方法に関するものである。
【手続補正４】
【補正対象書類名】明細書
【補正対象項目名】０００６
【補正方法】変更
【補正の内容】
【０００６】
上記の目的を達成するために、第１の発明は、動画を撮影可能な電子撮像装置であって、撮像手段と、撮像して所定フレームの動画データが得られたときに、この所定フレームの動画データに対応する属性情報を作成する属性情報作成手段と、撮影状態から非撮影状態に移る判断を行う判断手段と、前記判断により撮影状態から非撮影状態に移る判断に応じて、前記作成された属性情報をメモリに記録する記録手段と、を具備することを特徴とする。
【手続補正５】
【補正対象書類名】明細書
【補正対象項目名】０００７
【補正方法】変更
【補正の内容】
【０００７】
また、第２の発明は、第１の発明に係る電子撮像装置において、前記所定フレームの動画データに対応する属性情報を、前記所定フレームの動画データの前記メモリへの記録に伴って作成することを特徴とする。
【手続補正６】
【補正対象書類名】明細書
【補正対象項目名】０００８
【補正方法】変更
【補正の内容】
【０００８】
また、第３の発明は、第１の発明に係る電子撮像装置において、前記判断手段は、ユーザによる操作終了の指示の有無を判断するものであり、操作終了の指示があったと判断した場合に、非撮影状態に移行する。
【手続補正７】
【補正対象書類名】明細書
【補正対象項目名】０００９
【補正方法】変更
【補正の内容】
【０００９】
また、第４の発明は、第１の発明に係る電子撮像装置において、前記判断手段は、電源電圧のレベルを判断するものであり、電源電圧が所定電圧以下になったと判断した場合に、非撮影状態に移行する。
【手続補正８】
【補正対象書類名】明細書
【補正対象項目名】００１０
【補正方法】変更
【補正の内容】
【００１０】
また、第５の発明は、第１の発明に係る電子撮像装置において、前記記録手段は、電源電圧が所定電圧以下になった場合に、前記作成された属性情報を前記動画データとともに記録媒体に記録する。
【手続補正９】
【補正対象書類名】明細書
【補正対象項目名】００１１
【補正方法】変更
【補正の内容】
【００１１】
また、第６の発明は、動画を撮影可能な電子撮像装置であって、撮像手段と、撮像して所定フレームの動画データが得られたときに、この所定フレームの動画データに対応する属性情報を作成する属性情報作成手段と、撮像された動画データを記録媒体に記録する記録手段と、電源電圧が所定電圧以下となった場合に、前記動画データの記録媒体への記録を中止するとともに、前記作成された属性情報を記録媒体に記録するように制御する制御手段と、を具備する。
【手続補正１０】
【補正対象書類名】明細書
【補正対象項目名】００１２
【補正方法】変更
【補正の内容】
【００１２】
また、第７の発明は、第６の発明に係る電子撮像装置において、撮影終了の指示があったときに、当該撮影により得られた動画データに対応する属性情報を前記属性情報作成手段により作成するとともに、前記記録手段によって作成された属性情報を前記撮影により得られた動画データとともに記録する。
【手続補正１１】
【補正対象書類名】明細書
【補正対象項目名】００１３
【補正方法】変更
【補正の内容】
【００１３】
また、第８の発明は、第６の発明に係る電子撮像装置において、電源電圧が所定電圧以下になった場合に、前記属性情報を記録媒体に記録するために必要な電源電圧を供給するバックアップ用電源を備えている。
【手続補正１２】
【補正対象書類名】明細書
【補正対象項目名】００１４
【補正方法】変更
【補正の内容】
【００１４】
また、第９の発明は、第６の発明に係る電子撮像装置において、電源電圧が所定電圧以下になった場合に記録媒体に記録される属性情報は、その時点ですでに作成されている属性情報のうち最新に作成された属性情報である。
【手続補正１３】
【補正対象書類名】明細書
【補正対象項目名】００１５
【補正方法】変更
【補正の内容】
【００１５】
また、第１０の発明は、第６の発明に係る電子撮像装置において、電源電圧が所定の電圧レベル以下になった場合に、記録媒体にデータを記録するのに用いられる動作クロックを低速モードに切り換える。
そして、第１１の発明は、第８の発明に係る電子撮像装置において、前記電源電圧が所定電圧以下となった場合に、前記バックアップ用電源による前記記録媒体への記録に必要な電源供給を除く他の電源供給を停止するように制御する。
さらに、第１２の発明は、第８の発明に係る電子撮像装置において、前記バックアップ用電源は、電子撮像装置において他の用途に用いられる電源と共用される。
また、第１３の発明は、電子撮像装置の動画像データ記録方法であって、撮像して所定フレームの動画データが得られたときに、この所定フレームの動画データに対応する属性情報を作成し、撮影状態から非撮影状態に移るか否かの判断を行い、前記判断により撮影状態から非撮影状態に移る判断がされた場合に、前記作成された属性情報をメモリに記録する。